【事件の表示】
　特許第２９９４２０９号「紙糸およびこれを用いた編織物」の請求項１ないし２に係る特許に対する特許異議の申立てについて、次のとおり決定する。
【結　論】
　特許第２９９４２０９号の請求項に係る特許を維持する。
【理　由】
１．本件発明
  本件特許第２９９４２０９号（平成６年８月１２日出願、平成１１年１０月２２日設定登録）の請求項１及び２に係る発明は特許明細書及び図面の記載からみて、その特許請求の範囲の請求項１及び２に記載された事項により特定されるとおりの以下のものである。
［請求項１］湿潤紙力増強剤と乾燥紙力増強剤とを併用することにより耐水処理されたパルプ製テープをらせん甘撚りして紐状にしてなる紙糸
［請求項２］編織糸として請求項１記載の紙糸を含む編織物
２．申立人大福製紙株式会社の申立理由の概要　
　申立人大福製紙株式会社は、甲第１号証（特開平３−１７４０４２号公報）、甲第２号証（特開平２−４１４９７号公報）及び甲第３号証（実願昭５７−６７０９８号（実開昭５８−１７２５００号）のマイクロフィルム）を提出して、請求項１及び２に係る発明は特許法２９条第２項に規定する発明に該当するから、その特許を取り消すべきものと主張している。
３．申立人大福製紙株式会社が提出した甲１〜３号証の記載事項
（１）甲第１号証
ア．「嵩高な短繊維、天然セルロースパルプ繊維、湿潤強度向上剤及び繊維状熱水溶解性バインダーを必須成分とする紙を抄造しこれを細長く裁断してストリングとし、このストリングを他種の糸と撚合わせてから、熱水を含む精錬浴処理を行い、繊維状熱水溶解性バインダーを除去することを特徴とするファンシーヤーンの製造方法」（特許請求の範囲）
イ．「靱皮繊維としては、みつまた、こうぞ、がんぴ、桑、亜麻、チヨ麻、黄麻、ケナフ等があるが、特にみつまた、こうぞ、がんぴ、桑等の木本靱皮が特に適する。葉脈繊維としては、マニラ麻、サイザル麻等がある。これらは公知の方法によってパルプ化し、漂白されて使用される。木質繊維としては針葉樹、広葉樹から造られた晒クラフトパルプ等の漂白パルプが使用される。」（第３頁左上欄第１〜９行目）
ウ．「内部添加型湿潤強度向上剤として公知のポリアミドアミンエピクロルヒドリン樹脂、ポリアミンエピクロルヒドリン樹脂、ポリアクリルアミド系樹脂、尿素・メラミン樹脂等は単独または混合で使用できる。」（第３ページ左上欄第１８行〜同右上欄第３行）
エ．「繊維状熱水溶解性バインダーを混入して抄紙し、紙の強度を高めることにより、軽い、幅の小さいものが得られる」（第３ページ右上欄第１８〜２０行）
オ．「適切な繊維状熱水溶性バインダーはポリビニールアルコール繊維や、低置換カルボキシメチルセルロース繊維である。」（第３頁左下欄第１２〜１４行）
カ．「この発明は編んだり、織ったりして、編物又は織物を組織することができ・・・」（第１頁左欄第１４〜１７行）
（２）甲第２号証
キ．「一般に和紙を抄造する際に、（略）粘剤と称する分散剤の添加が行われている。この粘剤としては、（略）今日ではその性能が良好であることからポリアクリルアミド系、特にアニオン系ポリアクリルアミドが広く用いられている。」（第１頁左欄第１７行〜同右欄第７行）
ク．「本発明で用いられる紙力増強剤としての水溶性カチオン樹脂としては、尿素ホルマリン樹脂、メラミン樹脂、ホリエチレンイミン、ポリアミドポリアミン等を挙げることができる。本発明で用いられるカチオン性ポリアクリルアミドとは、アクリルアミド単量体と第三級アミンの中和塩もしくは第四級アンモニウム塩を有するカチオン系ビニル単量体とを共重合させることによって得られる水溶性共重合体をいう。」（第２頁右上欄第１０〜１９行）
（３）甲第３号証
ケ．「この素線を構成するに用いるものとしては、未ザラシクラフト紙で秤量が１８〜４０ｇ、テープ幅として２０〜１００ｍｍ、のものであって、これを適宜太さに扱いて３０ｃｍ当たり１〜１０回縒をかけたものが本考案の素線として適用できる。」（第４頁第５〜９行）
４．本件発明と申立人大福製紙株式会社が提出した甲１〜３号証記載の発明との対比・判断
　甲第１号証に記載の発明を糸として認定すると、「嵩高な短繊維、天然セルロースパルプ繊維、湿潤強度向上剤及び繊維状熱水溶解性バインダーを必須成分とする紙を抄造しこれを細長く裁断してストリングとし、このストリングを他種の糸と撚合わせてから、繊維状熱水溶解性バインダーは除去されたファンシーヤーン」である。　
　本件請求項１に係る発明と甲第１号証に記載のヤーン（糸）とを対比すると、前者の紙糸は、「パルプ製のテープ」から製造するもので、パルプ以外の繊維は含まれていないのに対し、後者は、天然セルロースパルプ繊維に加えて嵩高な短繊維、すなわち獣毛繊維、嵩高なアクリル繊維、あるいはクリンプした嵩高な他の合成繊維（第２頁右上欄第２〜４行目）を必須成分とするものである点及び前者では増強剤は除去することなくそのまま保持されるものであるのに対し、後者では、前者の乾燥紙力増強剤に相当する繊維状熱水溶解性バインダーが除去されたものである点で両者は相違している。
　これら相違点について検討すると、甲第１号証には、獣毛繊維等の嵩高な短繊維は必須の構成要件であって、これを含まないパルプのみからなるテープ及びこのテープのみを撚り合わせた糸については記載されていないし、本件発明における乾燥紙力増強剤に相当する繊維状熱水溶解性バインダーを除去せずにそのまま含有させることについても記載されていないし、そのような示唆もない。
　甲第２号証は、抄紙方法に係るものであり、紙の湿潤強度と乾燥強度を上げるために紙力増強剤を添加することは記載されているが、抄紙された紙から紙糸とすることを前提とはしていない処理である。
　甲第３号証は、和紙またはクラフト紙などの紙を適宜細幅のテープ状にしたものに縒をかけて紙扱き素線としたものであるが、素線をそのまま使用するものであって、耐水処理を行って使用することは記載されていない。
　してみれば、甲各号証には本件請求項１に係る発明の、パルプ製テープをらせん甘撚りして紐状にしてなる紙糸において水分の吸排出性および耐洗濯性に優れ、毛羽立ちが生じにくく、肌触りが良く、しかも、機械織りおよび機械編み可能で断熱性の高い糸とするために湿潤紙力増強剤と乾燥紙力増強剤とを併用して耐水処理を行うという技術思想は記載されていないし、示唆もない。
　したがって、本件請求項１に係る発明は上記甲第１〜３号証に記載のものから容易に発明することができたものとはいえない。
　また、本件請求項２に係る発明は編織物として請求項１記載の紙糸を含む編織物であるから、請求項１に係る発明についての判断と同様に上記甲第１〜３号証に記載のものから容易に発明することができたものとはいえない。
５．申立人愛知県撚糸工業組合の申立理由の概要　
　申立人愛知県撚糸工業組合は、甲第１号証（紙と加工の薬品辞典　１２１頁、発行所　（株）テックタイムス、平成３年２月２５日発行）、甲第２号証（Sumirez Resin 650 special 技術資料　Ｎｏ１　１９７３年１０月）及び甲第３号証（平成２年度一宮市繊維新商品開発事業・見本帳　開発見本　No.3-8,3-12,4-6）をもとに、 請求項１及び２に係る発明は特許法２９条第１項第３号に規定する発明に該当するから、特許を取り消すべきものと主張している。
６．申立人愛知県撚糸工業組合が提出した甲１〜３号証記載の発明
　甲第１号証には主要紙力増強剤として乾燥紙力増強剤と湿潤紙力増強剤の具体例（第１２１頁、「紙力増強剤」の項、表１）が記載されている。
　甲第２号証には湿潤強度向上樹脂（Sumirez Resin 650special）が記載され、その用途分野として紙紐原紙があげられている（ＩＶ 用途分野の項）。
　甲第３号証には抄繊糸に加えレーヨンや綿等を含んだ編み物が記載されている（平成２年度一宮市繊維新商品開発事業・見本帳　開発見本　No.3-8,3-12,4-6）。
７．本件発明と申立人愛知県撚糸工業組合が提出した甲１〜３号証記載の発明との対比・判断
　本件請求項１に係る発明と甲第１号証に記載の発明とを対比すると、甲第１号証には、紙力増強剤の具体例は記載されているが、紙糸に適用する点については記載も示唆もない。
　甲第２号証には、湿潤強度向上樹脂が記載され、その用途として紙紐原紙が記載されている。しかし、湿潤強度向上樹脂に加えて、乾燥紙力増強剤を併用することについては何ら記載されていないし、示唆もない。
　甲第３号証には、抄繊糸を含む編み物が記載されているが、いかなる抄繊糸であるか記載されておらず、本件請求項１にかかる特許の紙糸と同一であるということはできない。
　以上のように、甲第１〜３号証には本件請求項１に係る発明と関連のある事項ではあるが断片的な技術情報が記載されているのみであって、技術思想としての本件発明を何ら記載するものでもないし、示唆するものでもない。
　したがって、本件請求項１に係る発明は、甲第１〜３号証に記載の発明であるとすることはできない。
　また、本件請求項２に係る発明は編織物として請求項１記載の紙糸を含む編織物であるから、請求項１に係る発明についての判断と同様に上記甲第１〜３号証に記載の発明であるとすることはできない。
８．むすび
　以上のとおりであるから、特許異議申立ての理由及び証拠によっては本件請求項１及び２に係る発明の特許を取り消すことはできない。
　また、他に本件請求項１及び２に係る特許を取り消すべき理由を発見しない。
　よって、結論のとおり決定する。
【異議決定日】
平成１２年１１月７日（２０００．１１．７）